(57)【特許請求の範囲】
【請求項１】
外科専用の手術道具の収納装置であって、本体を含み、前記本体の中には左端に外部と連通した運送空間が設置され、前記運送空間の中には密封ドアが回転可能に設置され、前記運送空間の後ろ側には運送装置が設置され、前記運送装置は昇降できる昇降ブロックを含み、前記昇降ブロックの中には水平に移動できる挟持ブロックが設置され、前記挟持ブロックの中には挟持装置が設置され、前記挟持装置は挟持棒を含み、前記挟持棒は対向に回転して手術工具を挟持でき、前記運送空間の前側には計数装置が設置され、前記運送空間の下側には保存空間が前記運送空間と連通するように設置され、前記保存空間の中には回転車が回転軸により回転可能に設置され、前記回転軸の後端が前記保存空間の後端壁に装着された回転モータに伝動可能に連結され、前記回転車には四つの収納装置が配列され、前記収納装置は置き盤を含み、前記置き盤の中には下端面が歯状となるトレイが置かれ、前記回転車の回転中に、前記置き盤が終始にバランスを維持し、前記保存空間の前側にはロック装置が設置され、前記ロック装置は作動中に前記置き盤をロックして揺動させないことで運送または操作の安定性を保証でき、前記挟持棒は手術工具を挟持固定したあとに前記運送装置により手術工具をを前記保存空間の内部に連動させ、前記トレイに置き、このとき前記計数装置が一回計数を行い、前記保存空間の後端壁には蒸気消毒器が固定的に設置され、前記保存空間の右側には取り扱い空間が前記保存空間と連通するように設置され、前記取り扱い空間の上側には取り扱い装置が設置され、前記取り扱い装置は回転できる伸縮棒を含むことで、前記トレイを外部に出すことができ、前記取り扱い空間の下側には密封装置が設置され、前記密封装置は前記取り扱い空間を密封できる密封ブロックを含むことを特徴とする外科専用の手術道具の収納装置。
【請求項２】
前記運送装置は、前記運送空間と連通した昇降空間を含み、前記昇降空間の中には昇降親ネジが設置され、前記昇降親ネジの下端が前記昇降空間の下端壁に装着された昇降モータに伝動可能に連結され、前記昇降ブロックが前記昇降空間にネジ山によって装着され、前記昇降ブロックの中には移動溝が形成され、前記移動溝の中には移動親ネジが回転可能に設置され、前記移動親ネジの右端には移動モータが伝動可能に連結され、前記移動親ネジには移動ブロックがネジ山によって装着され、前記挟持ブロックが前記移動ブロックの前端に固定的に設置されていることを特徴とする請求項１に記載の外科専用の手術道具の収納装置。
【請求項３】
前記挟持装置は、伸縮溝を含み、前記伸縮溝の上端壁には液圧シリンダが固定的に設置され、前記液圧シリンダの下端には伸縮軸が伝動可能に装着され、前記伸縮軸の下端にはヒンジ繋ブロックが固定的に設置され、前記挟持棒が前記ヒンジ繋ブロックにヒンジによって連結され、前記挟持棒の間には伸縮バネが固定的に設置されていることを特徴とする請求項１に記載の外科専用の手術道具の収納装置。
【請求項４】
前記計数装置は、後ろ側が前記運送空間と連通した計数空間を含み、前記計数空間の中には動かし盤が回転可能に設置され、前記動かし盤には四つの凹み溝が環状に配列され、前記凹み溝の中には動かしブロックが回転可能に設置され、前記動かしブロックと前記凹み溝の間には復帰バネが固定的に設置され、前記計数空間の前端壁には赤外線発生器が装着され、前記計数空間の前側において前記運送空間の前端面には表示画面が装着され、前記表示画面の後ろ側には前記赤外線発生器と連結した計数器が設置されていることを特徴とする請求項１に記載の外科専用の手術道具の収納装置。
【請求項５】
前記動かしブロックの左右方向の長さが前記運送空間と前記保存空間との連通区域の左右方向の長さより大きく、前記運送空間と前記保存空間の連通区域の左右方向の長さが前記トレイの左右方向の長さより大きいことを特徴とする請求項４に記載の外科専用の手術道具の収納装置。
【請求項６】
前記収納装置は、前記回転車の外周に前後対称にかつ固定的に設置された装着ブロックを含み、前記装着ブロックには連結ブロックがヒンジによって連結され、前側の前記連結ブロックにはロック溝が形成され、前記置き盤が前後の前記連結ブロックの下端の間に固定的に設置され、前記置き盤の中には左右対称の回転できる摩擦歯車が設置され、前記トレイが前記置き盤の中に置かれておりかつ前記摩擦歯車と噛み合っていることを特徴とする請求項１に記載の外科専用の手術道具の収納装置。
【請求項７】
前記ロック装置は、押し空間を含み、前記押し空間の前壁には気圧シリンダが装着され、前記気圧シリンダの後端には押し棒が伝動可能に連結され、前記押し棒の後端には押し盤が固定的に設置され、前記押し盤の後端壁には前記ロック溝と対応するロックブロックが四つ固定的に設置され、前記ロックブロックの後端は前記保存空間の中まで延びて前記ロック溝に挿入されることを特徴とする請求項６に記載の外科専用の手術道具の収納装置。
【請求項８】
前記取り扱い装置は、収納空間を含み、前記収納空間が前記取り扱い空間と前記保存空間とに連通しており、前記収納空間の内部には回転棒が歯車回転軸により回転可能に設置され、前記回転棒の中には伸縮棒がスライド可能に設置され、前記伸縮棒と前記回転棒との間には圧力バネが固定的に設置され、前記収納空間の後ろ側には動力空間が設置され、前記歯車回転軸の後端が前記動力空間の中まで延びておりかつ前記歯車回転軸の後端には平歯車が固定的に設置され、前記動力空間の前端壁には動力モータが固定的に設置され、前記動力モータには動力軸が伝動可能に装着され、前記動力軸の後端が前記動力空間の後端壁と回転可能に連結され、前記動力軸には動力歯車が固定的に設置され、前記動力歯車は半分しか歯がついていなく、前記動力歯車の上側には噛合歯車が連結軸により回転可能に設置され、前記動力歯車はいずれも前記噛合歯車と前記平歯車と噛み合うことができることを特徴とする請求項１に記載の外科専用の手術道具の収納装置。
【請求項９】
前記密封装置は、上側が前記取り扱い空間と連通した密封空間を含み、前記密封空間の中にはネジ山軸が回転可能に設置され、前記密封ブロックと前記ネジ山軸とがネジ山によって連結され、前記密封空間の下側には噛合空間が前記密封空間と連通するように設置され、前記ネジ山軸の下端が前記噛合空間の内部まで延びており、かつ前記ネジ山軸の下端には第一傘歯車が固定的に設置され、前記第一傘歯車の後ろ側には第二傘歯車が噛み合っており、前記第二傘歯車の中央のところには伝動軸が固定的に設置され、前記伝動軸と前記連結軸の後端とが伝動ベルトによって伝動可能に連結されことを特徴とする請求項８に記載の外科専用の手術道具の収納装置。
【発明の詳細な説明】
【技術分野】
【０００１】
本願発明は医療器械技術分野に関し、具体的には外科専用の手術道具の収納装置に関する。
【背景技術】
【０００２】
外科手術道具は一般に種類を分けて収納し、かつ数を記録する必要がある。現在使用されている手術工具の収納装置は体積が大きく移動しにくく、霊活性が欠けており、しかも収納、取り扱い、数の記録などは人力で行うため、操作が不便となると同時に、数の記録が間違いやすく、仕事量の増加に繋がり、収納空間の消毒清潔度を減らす。本願発明は上記問題を解決できる。
【先行技術文献】
【特許文献】
【０００３】
【特許文献１】中国特許出願公開第１０７０４９５０８号明細書
【発明の概要】
【発明が解決しようとする課題】
【０００４】
現在の手術工具の収納装置は操作が不便で、数の記録の正確度が低い。
【課題を解決するための手段】
【０００５】
外科専用の手術道具の収納装置であって、本体を含み、前記本体の中には左端に外部と連通した運送空間が設置され、前記運送空間の中には密封ドアが回転可能に設置され、前記運送空間の後ろ側には運送装置が設置され、前記運送装置は昇降できる昇降ブロックを含み、前記昇降ブロックの中には水平に移動できる挟持ブロックが設置され、前記挟持ブロックの中には挟持装置が設置され、前記挟持装置は挟持棒を含み、前記挟持棒は対向に回転して手術工具を挟持でき、前記運送空間の前側には計数装置が設置され、前記運送空間の下側には保存空間が前記運送空間と連通するように設置され、前記保存空間の中には回転車が回転軸により回転可能に設置され、前記回転軸の後端が前記保存空間の後端壁に装着された回転モータに伝動可能に連結され、前記回転車には四つの収納装置が配列され、前記収納装置は置き盤を含み、前記置き盤の中には下端面が歯状となるトレイが置かれ、前記回転車の回転中に、前記置き盤が終始にバランスを維持し、前記保存空間の前側にはロック装置が設置され、前記ロック装置は作動中に前記置き盤をロックして揺動させないことで運送または操作の安定性を保証でき、前記挟持棒は手術工具を挟持固定したあとに前記運送装置により手術工具をを前記保存空間の内部に連動させ、前記トレイに置き、このとき前記計数装置が一回計数を行い、前記保存空間の後端壁には蒸気消毒器が固定的に設置され、前記保存空間の右側には取り扱い空間が前記保存空間と連通するように設置され、前記取り扱い空間の上側には取り扱い装置が設置され、前記取り扱い装置は回転できる伸縮棒を含むことで、前記トレイを外部に出すことができ、前記取り扱い空間の下側には密封装置が設置され、前記密封装置は前記取り扱い空間を密封できる密封ブロックを含む。
【０００６】
有益的には、前記運送装置は、前記運送空間と連通した昇降空間を含み、前記昇降空間の中には昇降親ネジが設置され、前記昇降親ネジの下端が前記昇降空間の下端壁に装着された昇降モータに伝動可能に連結され、前記昇降ブロックが前記昇降空間にネジ山によって装着され、前記昇降ブロックの中には移動溝が形成され、前記移動溝の中には移動親ネジが回転可能に設置され、前記移動親ネジの右端には移動モータが伝動可能に連結され、前記移動親ネジには移動ブロックがネジ山によって装着され、前記挟持ブロックが前記移動ブロックの前端に固定的に設置され、前記昇降モータが作動すると前記挟持ブロックを昇降させ、前記移動モータが作動すると前記挟持ブロックが水平に連動して移動する。
【０００７】
有益的には、前記挟持装置は、伸縮溝を含み、前記伸縮溝の上端壁には液圧シリンダが固定的に設置され、前記液圧シリンダの下端には伸縮軸が伝動可能に装着され、前記伸縮軸の下端にはヒンジ繋ブロックが固定的に設置され、前記挟持棒が前記ヒンジ繋ブロックにヒンジによって連結され、前記挟持棒の間には伸縮バネが固定的に設置され、前記ヒンジ繋ブロックが上昇すると、前記挟持棒が対向に回転して手術工具を挟持する。
【０００８】
有益的には、前記計数装置は、後ろ側が前記運送空間と連通した計数空間を含み、前記計数空間の中には動かし盤が回転可能に設置され、前記動かし盤には四つの凹み溝が環状に配列され、前記凹み溝の中には動かしブロックが回転可能に設置され、前記動かしブロックと前記凹み溝の間には復帰バネが固定的に設置され、前記計数空間の前端壁には赤外線発生器が装着され、前記計数空間の前側において前記運送空間の前端面には表示画面が装着され、前記表示画面の後ろ側には前記赤外線発生器と連結した計数器が設置され、前記赤外線発生器が起動すると、前記動かしブロックは前記赤外線発生器を通過するたびに、前記計数器が一回計数し、かつ計数結果が前記表示画面により表示される。
【０００９】
有益的には、前記動かしブロックの左右方向の長さが前記運送空間と前記保存空間との連通区域の左右方向の長さより大きく、前記運送空間と前記保存空間の連通区域の左右方向の長さが前記トレイの左右方向の長さより大きく、したがって、前記挟持ブロックが前記保存空間の内部まで下降したとき、前記動かしブロックを動かして前記動かし盤を回転させることができる。
【００１０】
前記収納装置は、前記回転車の外周に前後対称にかつ固定的に設置された装着ブロックを含み、前記装着ブロックには連結ブロックがヒンジによって連結され、前側の前記連結ブロックにはロック溝が形成され、前記置き盤が前後の前記連結ブロックの下端の間に固定的に設置され、前記置き盤の中には左右対称の回転できる摩擦歯車が設置され、前記トレイが前記置き盤の中に置かれておりかつ前記摩擦歯車と噛み合い、したがって前記回転車が回転するときに、前記トレイの開口が終始に上方に向いており、前記トレイと前記摩擦歯車とが噛み合い、前記トレイが前記回転車の回転中にずっと安定を維持している。
【００１１】
前記ロック装置は、押し空間を含み、前記押し空間の前壁には気圧シリンダが装着され、前記気圧シリンダの後端には押し棒が伝動可能に連結され、前記押し棒の後端には押し盤が固定的に設置され、前記押し盤の後端壁には前記ロック溝と対応するロックブロックが四つ固定的に設置され、前記ロックブロックの後端は前記保存空間の中まで延びて前記ロック溝に挿入されることができることで、前記置き盤が揺動できず、前記トレイが安定を維持している。
【００１２】
前記取り扱い装置は、収納空間を含み、前記収納空間が前記取り扱い空間と前記保存空間とに連通しており、前記収納空間の内部には回転棒が歯車回転軸により回転可能に設置され、前記回転棒の中には伸縮棒がスライド可能に設置され、前記伸縮棒と前記回転棒との間には圧力バネが固定的に設置され、前記収納空間の後ろ側には動力空間が設置され、前記歯車回転軸の後端が前記動力空間の中まで延びておりかつ前記歯車回転軸の後端には平歯車が固定的に設置され、前記動力空間の前端壁には動力モータが固定的に設置され、前記動力モータには動力軸が伝動可能に装着され、前記動力軸の後端が前記動力空間の後端壁と回転可能に連結され、前記動力軸には動力歯車が固定的に設置され、前記動力歯車は半分しか歯がついていなく、前記動力歯車の上側には噛合歯車が連結軸により回転可能に設置され、前記動力歯車はいずれも前記噛合歯車と前記平歯車と噛み合うことができ、前記伸縮棒が反時計回りに回転すると前記トレイを右方へ前記取り扱い空間の中まで押し動かす事ができる。
【００１３】
有益的には、前記密封装置は、上側が前記取り扱い空間と連通した密封空間を含み、前記密封空間の中にはネジ山軸が回転可能に設置され、前記密封ブロックと前記ネジ山軸とがネジ山によって連結され、前記密封空間の下側には噛合空間が前記密封空間と連通するように設置され、前記ネジ山軸の下端が前記噛合空間の内部まで延びており、かつ前記ネジ山軸の下端には第一傘歯車が固定的に設置され、前記第一傘歯車の後ろ側には第二傘歯車が噛み合っており、前記第二傘歯車の中央のところには伝動軸が固定的に設置され、前記伝動軸と前記連結軸の後端とが伝動ベルトによって伝動可能に連結され、前記ネジ山軸が回転することで前記密封ブロックの昇降が制御される。
【発明の効果】
【００１４】
本願発明の有益効果は：本願発明は挟持装置と運送装置により自動的に手術工具を挟持して持続的に消毒が行われている収納空間の内部に送り、蒸気消毒器が作動中に生じる高圧蒸気により手術工具を消毒し、また、手術工具を置くときには自動的に数を記録して表示画面に表示する他、取り出し装置により手術工具を自動的に取り出し、自動化程度が高く、収納空間の高い清潔度を保証すると同時に、体積が小さいため、自由に移動でき、手術工具の収納安定性を保証する。
【図面の簡単な説明】
【００１５】
下記に図１〜６をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体構成図
【図２】図２は図１におけるＡ―Ａ方向の構成図
【図３】図３は図２におけるＢ―Ｂ方向の構成図
【図４】図４は図１におけるＣの拡大構成図
【図５】図５は図２におけるＤの拡大構成図
【図６】図６は図１におけるＥ―Ｅ方向の構成図
【発明を実施するための形態】
【００１７】
外科専用の手術道具の収納装置であって、主に手術器械の収納に使用され、下記に図１〜６を合わせて本願発明を説明する。
【００１８】
外科専用の手術道具の収納装置であって、本体２０を含み、前記本体２０の中には左端に外部と連通した運送空間２１が設置され、前記運送空間２１の中には密封ドア８３が回転可能に設置され、前記運送空間２１の後ろ側には運送装置９０が設置され、前記運送装置９０は昇降できる昇降ブロック２３を含み、前記昇降ブロック２３の中には水平に移動できる挟持ブロック２９が設置され、前記挟持ブロック２９の中には挟持装置８９が設置され、前記挟持装置８９は挟持棒３４を含み、前記挟持棒３４は対向に回転して手術工具を挟持でき、前記運送空間２１の前側には計数装置８４が設置され、前記運送空間２１の下側には保存空間３６が前記運送空間２１と連通するように設置され、前記保存空間３６の中には回転車３８が回転軸３７により回転可能に設置され、前記回転軸３７の後端が前記保存空間３６の後端壁に装着された回転モータ４０に伝動可能に連結され、前記回転車３８には四つの収納装置８８が配列され、前記収納装置８８は置き盤４２を含み、前記置き盤４２の中には下端面が歯状となるトレイ４４が置かれ、前記回転車３８の回転中に、前記置き盤４２が終始にバランスを維持し、前記保存空間３６の前側にはロック装置８７が設置され、前記ロック装置８７は作動中に前記置き盤４２をロックして揺動させないことで運送または操作の安定性を保証でき、前記挟持棒３４は手術工具を挟持固定したあとに前記運送装置９０により手術工具をを前記保存空間３６の内部に連動させ、前記トレイ４４に置き、このとき前記計数装置８４が一回計数を行い、前記保存空間３６の後端壁には蒸気消毒器５９が固定的に設置され、前記保存空間３６の右側には取り扱い空間８２が前記保存空間３６と連通するように設置され、前記取り扱い空間８２の上側には取り扱い装置８６が設置され、前記取り扱い装置８６は回転できる伸縮棒６５を含むことで、前記トレイ４４を外部に出すことができ、前記取り扱い空間８２の下側には密封装置８５が設置され、前記密封装置８５は前記取り扱い空間８２を密封できる密封ブロック８１を含む。
【００１９】
有益的には、前記伝動装置は、前記第三活動板９の上端に固定的に連結されている第二モータ１０を含み、前記第二モータ１０の右端には第二伝動軸１１が伝動可能に連結され、前記第二伝動軸１１には第一はすば歯車１２が固定的に連結され、前記第一はすば歯車１２の下端には第二はすば歯車１３が噛み合っており、前記第二はすば歯車１３には第一回転軸１４が固定的に連結され、前記第一回転軸１４が前記第三活動板９と回転可能に連結されかつ前記第三伝動板９を通り抜けて第二回転盤６７と固定的に連結され、前記第二回転盤６７の下端には第一摩擦ブロック１５が設置され、前記第一回転軸１４の上端には第一回転盤１８が固定的に連結され、前記第一回転盤１８の上端には第三摩擦ブロック３０が設置されている。
【００２０】
有益的には、前記運送装置９０は、前記運送空間２１と連通した昇降空間２２を含み、前記昇降空間２２の中には昇降親ネジ２４が設置され、前記昇降親ネジ２４の下端が前記昇降空間２２の下端壁に装着された昇降モータ２５に伝動可能に連結され、前記昇降ブロック２３が前記昇降空間２２にネジ山によって装着され、前記昇降ブロック２３の中には移動溝２６が形成され、前記移動溝２６の中には移動親ネジ２７が回転可能に設置され、前記移動親ネジ２７の右端には移動モータ６０が伝動可能に連結され、前記移動親ネジ２７には移動ブロック２８がネジ山によって装着され、前記挟持ブロック２９が前記移動ブロック２８の前端に固定的に設置され、前記昇降モータ２５が作動すると前記挟持ブロック２９を昇降させ、前記移動モータ６０が作動すると前記挟持ブロック２９が水平に連動して移動する。
【００２１】
有益的には、前記挟持装置８９は、伸縮溝３２を含み、前記伸縮溝３２の上端壁には液圧シリンダ３０が固定的に設置され、前記液圧シリンダ３０の下端には伸縮軸３１が伝動可能に装着され、前記伸縮軸３１の下端にはヒンジ繋ブロック３３が固定的に設置され、前記挟持棒３４が前記ヒンジ繋ブロック３３にヒンジによって連結され、前記挟持棒３４の間には伸縮バネ３５が固定的に設置され、前記ヒンジ繋ブロック３３が上昇すると、前記挟持棒３４が対向に回転して手術工具を挟持する。
【００２２】
有益的には、前記計数装置８４は、後ろ側が前記運送空間２１と連通した計数空間５６を含み、前記計数空間５６の中には動かし盤５１が回転可能に設置され、前記動かし盤５１には四つの凹み溝５２が環状に配列され、前記凹み溝５２の中には動かしブロック５４が回転可能に設置され、前記動かしブロック５４と前記凹み溝５２の間には復帰バネ５３が固定的に設置され、前記計数空間５６の前端壁には赤外線発生器５５が装着され、前記計数空間５６の前側において前記運送空間２１の前端面には表示画面５７が装着され、前記表示画面５７の後ろ側には前記赤外線発生器５５と連結した計数器５８が設置され、前記赤外線発生器５５が起動すると、前記動かしブロック５４は前記赤外線発生器５５を通過するたびに、前記計数器５８が一回計数し、かつ計数結果が前記表示画面５７により表示される。
【００２３】
有益的には、前記動かしブロック５４の左右方向の長さが前記運送空間２１と前記保存空間３６との連通区域の左右方向の長さより大きく、前記運送空間２１と前記保存空間３６の連通区域の左右方向の長さが前記トレイ４４の左右方向の長さより大きく、したがって、前記挟持ブロック２９が前記保存空間３６の内部まで下降したとき、前記動かしブロック５４を動かして前記動かし盤５１を回転させることができる。
【００２４】
有益的には、前記収納装置８８は、前記回転車３８の外周に前後対称にかつ固定的に設置された装着ブロック３９を含み、前記装着ブロック３９には連結ブロック４１がヒンジによって連結され、前側の前記連結ブロック４１にはロック溝４５が形成され、前記置き盤４２が前後の前記連結ブロック４１の下端の間に固定的に設置され、前記置き盤４２の中には左右対称の回転できる摩擦歯車４３が設置され、前記トレイ４４が前記置き盤４２の中に置かれておりかつ前記摩擦歯車４３と噛み合い、したがって前記回転車３８が回転するときに、前記トレイ４４の開口が終始に上方に向いており、前記トレイ４４と前記摩擦歯車４３とが噛み合い、前記トレイ４４が前記回転車３８の回転中にずっと安定を維持している。
【００２５】
有益的には、前記ロック装置８７は、押し空間４６を含み、前記押し空間４６の前壁には気圧シリンダ４９が装着され、前記気圧シリンダ４９の後端には押し棒５０が伝動可能に連結され、前記押し棒５０の後端には押し盤４８が固定的に設置され、前記押し盤４８の後端壁には前記ロック溝４５と対応するロックブロック４７が四つ固定的に設置され、前記ロックブロック４７の後端は前記保存空間３６の中まで延びて前記ロック溝４５に挿入されることができることで、前記置き盤４２が揺動できず、前記トレイ４４が安定を維持している。
【００２６】
有益的には、前記取り扱い装置８６は、収納空間６１を含み、前記収納空間６１が前記取り扱い空間８２と前記保存空間３６とに連通しており、前記収納空間６１の内部には回転棒６３が歯車回転軸６２により回転可能に設置され、前記回転棒６３の中には伸縮棒６５がスライド可能に設置され、前記伸縮棒６５と前記回転棒６３との間には圧力バネ６４が固定的に設置され、前記収納空間６１の後ろ側には動力空間６６が設置され、前記歯車回転軸６２の後端が前記動力空間６６の中まで延びておりかつ前記歯車回転軸６２の後端には平歯車６７が固定的に設置され、前記動力空間６６の前端壁には動力モータ６８が固定的に設置され、前記動力モータ６８には動力軸６９が伝動可能に装着され、前記動力軸６９の後端が前記動力空間６６の後端壁と回転可能に連結され、前記動力軸６９には動力歯車７０が固定的に設置され、前記動力歯車７０は半分しか歯がついていなく、前記動力歯車７０の上側には噛合歯車７１が連結軸７２により回転可能に設置され、前記動力歯車７０はいずれも前記噛合歯車７１と前記平歯車６７と噛み合うことができ、前記伸縮棒６５が反時計回りに回転すると前記トレイ４４を右方へ前記取り扱い空間８２の中まで押し動かす事ができる。
【００２７】
有益的には、前記密封装置８５は、上側が前記取り扱い空間８２と連通した密封空間７９を含み、前記密封空間７９の中にはネジ山軸８０が回転可能に設置され、前記密封ブロック８１と前記ネジ山軸８０とがネジ山によって連結され、前記密封空間７９の下側には噛合空間７７が前記密封空間７９と連通するように設置され、前記ネジ山軸８０の下端が前記噛合空間７７の内部まで延びており、かつ前記ネジ山軸８０の下端には第一傘歯車７８が固定的に設置され、前記第一傘歯車７８の後ろ側には第二傘歯車７５が噛み合っており、前記第二傘歯車７５の中央のところには伝動軸７６が固定的に設置され、前記伝動軸７６と前記連結軸７２の後端とが伝動ベルト７３によって伝動可能に連結され、前記ネジ山軸８０が回転することで前記密封ブロック８１の昇降が制御される。
【００２８】
下記に図１〜６をあわせて本願発明の使用方法を説明する：
初期状態のとき、挟持ブロック２９の左端面が移動溝２６の左端壁と当接しており、挟持棒３４同士が互いから離れ、伸縮バネ３５が自然状態にあり、ロックブロック４７の後端がロック溝４５に挿入されておらず、伸縮棒６５が収納空間６１の中に位置し、密封ブロック８１が取り扱い空間８２を密封しており、動力歯車７０が噛合歯車７１と噛み合っている。挟持するときに、密封ドア８３を開き、手術工具を運送空間２１の中に置き、密封ドア８３を閉じ、昇降モータ２５を起動し、昇降親ネジ２４を回転させ、昇降ブロック２３が挟持ブロック２９を下方に連動させ、手術工具が挟持棒３４の間に位置し、液圧シリンダ３０が起動し、伸縮軸３１によりヒンジ繋ブロック３３が上方に引き動かされ、挟持棒３４が対向に回転して手術工具を挟持固定する。移動モータ６０を起動し、移動親ネジ２７が回転し、移動ブロック２８が挟持ブロック２９を右方へ保存空間３６の上側まで連動させる。
手術工具を置くとき、四つのトレイ４４に置く手術工具の種類と、手術工具の種類とにより、回転モータ４０を起動し、回転車３８が回転し、トレイ４４を回転車３８の上側に位置させ、気圧シリンダ４９が起動し、押し棒５０が押し盤４８を後方に移動連動させ、ロックブロック４７の後端がロック溝４５の中に挿入され、このとき、四つの連結ブロック４１が揺動できず、置き盤４２が静止状態にある。
昇降モータ２５が起動して昇降親ネジ２４を回転連動させ、昇降ブロック２３が挟持ブロック２９を下降連動させ、手術工具がトレイ４４の中に置かれ、挟持ブロック２９が下降する過程において、動かしブロック５４が下方に連動して動かし盤５１を回転させ、動かしブロック５４が赤外線発生器５５を通過したあと、計数器５８が一回計数し、表示画面５７に表示し、その後昇降モータ２５が逆転し、昇降ブロック２３が挟持ブロック２９を上方に連動させて復帰させ、挟持ブロック２９が上昇するときに動かしブロック５４を押し動かして凹み溝５２の中に回転させ、このとき、動かし盤５１が回転しなくて計数しなく、移動モータ６０が逆転し、移動ブロック２８が挟持ブロック２９を左方へ初期位置まで連動させ、次回の挟持と置きに準備を取る。
手術工具が保存空間３６の中に保存され、蒸気消毒器５９が作動するときに手術工具を消毒できる。
手術工具を取るとき、気圧シリンダ４９が起動し、押し棒５０が押し盤４８を前方へ連動させ、ロックブロック４７とロック溝４５とが離れ、回転モータ４０が起動して回転車３８を回転連動させ、使用する手術工具を載せたトレイ４４が取り扱い空間８２と対応する位置まで移動すると、気圧シリンダ４９が起動し、押し棒５０がロックブロック４７を後方へ押し動かし、ロックブロック４７がロック溝４５に挿入され、置き盤４２が固定される。
動力モータ６８が起動し、動力歯車７０が回転して噛合歯車７１を回転連動させ、伝動ベルト７３が第二傘歯車７５を回転させ、ネジ山軸８０が回転し、密封ブロック８１が下降して取り扱い空間８２を開き、動力歯車７０が噛合歯車７１と離脱するとき、動力歯車７０が平歯車６７と噛み合い、したがって動力歯車７０の回転により回転棒６３が回転し、伸縮棒６５が反時計周りに回転して右側のトレイ４４を右方へ取り扱い空間８２まで動かし、取り扱い空間８２により手動でトレイ４４を取り出せばいい。復帰するとき、動力モータ６８が逆転し、密封ブロック８１が取り扱い空間８２を密封し、伸縮棒６５が収納空間６１の中まで戻る。
【００２９】
上記方式により、本分野の当業者は本願発明の範囲内に作動パターンにより各種な変化を実行できる。
【要約】
【課題】本発明は外科専用の手術道具の収納装置を開示した。
【解決手段】本体を含み、前記本体の中には左端に外部と連通した運送空間が設置され、前記運送空間の中には密封ドアが回転可能に設置され、前記運送空間の後ろ側には運送装置が設置され、前記運送装置は昇降できる昇降ブロックを含み、前記昇降ブロックの中には水平に移動できる挟持ブロックが設置され、前記挟持ブロックの中には挟持装置が設置され、前記挟持装置は挟持棒を含み、前記挟持棒は対向に回転して手術工具を挟持でき、前記運送空間の前側には計数装置が設置され、前記運送空間の下側には保存空間が前記運送空間と連通するように設置され、前記保存空間の中には回転車が回転軸により回転可能に設置され、前記回転軸の後端が前記保存空間の後端壁に装着された回転モータに伝動可能に連結される。
【選択図】図１【図１】
0006814355.tif 000002
【図２】
0006814355.tif 000003
【図３】
0006814355.tif 000004
【図４】
0006814355.tif 000005
【図５】
0006814355.tif 000006
【図６】
0006814355.tif 000007